(57)【特許請求の範囲】
【請求項１】
暖房用の熱交換器が弁装置を介して温水熱源機から温水の供給を受けるように構成された温水暖房装置において、
前記温水暖房装置は、前記熱交換器の通水温度を検出する温度検出手段と、前記弁装置の開閉制御を行う制御部とを備えてなり、
前記制御部が、該温水暖房装置が運転しているかを判別し、該温水暖房装置が運転している場合には、前記温度検出手段で検出される通水温度と、常温より高くかつ前記温水熱源機の出湯温度より低い範囲内で予め定めた所定温度とを比較して、前記通水温度が前記所定温度に達しない場合には前記弁装置が閉故障であると判定して当該故障を示す所定の故障検出データを前記温水熱源機に設けられた所定の記憶領域に記憶させる処理を行う制御構成を有する
ことを特徴とする温水暖房装置。
【請求項２】
暖房用の熱交換器が弁装置を介して温水熱源機から温水の供給を受けるように構成された温水暖房装置において、
前記温水暖房装置は、前記熱交換器の通水温度を検出する温度検出手段と、前記弁装置の開閉制御を行う制御部とを備えてなり、
前記制御部が、該温水暖房装置が運転しているかを判別し、該温水暖房装置が運転していない場合には、前記温度検出手段で検出される通水温度と、常温より高くかつ前記温水熱源機の出湯温度より低い範囲内で予め定めた所定温度とを比較して、前記通水温度が前記所定温度を超える場合には前記弁装置が開故障であると判定して当該故障を示す所定の故障検出データを前記温水熱源機に設けられた所定の記憶領域に記憶させる処理を行う制御構成を有する
ことを特徴とする温水暖房装置。
【請求項３】
前記請求項１または２に記載の温水暖房装置を備えた温水熱源機と接続される装置であって、
該温水熱源機とデータ通信を行う通信手段を備え、この通信手段を介して前記温水熱源機に対して前記故障検出データの送信を要求するとともに受信した故障検出データに基づいて、弁装置故障の発生している温水暖房装置を特定する手段を備えた
ことを特徴とする故障診断支援装置。
【発明の詳細な説明】
【０００１】
【発明の属する技術分野】
本発明は、温水暖房装置および故障診断支援装置に関し、より詳細には、弁装置を介して温水熱源機から暖房用温水の供給を受ける温水暖房装置における弁装置故障の自己診断技術とその応用に関する。
【０００２】
【従来の技術】
近時、給湯装置の分野においては、該給湯装置を温水熱源機とする種々の温水暖房装置（たとえば、温水エアコンやパネルヒータ、床暖房パネルや浴室暖房装置等）が提案されている。この種の温水暖房装置は、上記温水熱源機から温水の供給を受け、この温水の熱を熱交換器で熱交換して暖房を行うように構成されている。
【０００３】
そして、かかる温水の供給経路上には、上記熱交換器に流入する温水の流量制御用の熱動弁（弁装置）が設けられており、この熱動弁の開閉が上記温水暖房装置の制御部によって制御されることにより、暖房の開始／停止が制御されている。
【０００４】
【発明が解決しようとする課題】
しかしながら、このような従来の温水暖房装置においては、以下のような問題がありその改善が望まれていた。
【０００５】
(1) 上記従来の温水暖房装置においては、温水の供給を調節する上記熱動弁が故障（弁が開かなくなる閉故障や、弁が閉じなくなる開故障）した場合に、当該弁故障を速やかに検出することが困難であった。
【０００６】
すなわち、上述したような熱動弁の故障を検出する方法として、一般的には、温水暖房装置内に流量センサを設けて、このセンサで熱交換器の通水流量を監視することによって熱動弁が正常に動作しているかを判断する方法が考えられる。しかしながら、上記熱交換器には温水熱源機から供給される温水が流れるため、ここで使用される流量センサには耐熱性が要求される一方、配管の劣化等によるゴミ詰まり、さらには不凍液使用による動作異常等を引き起し易いため、実際には流量センサを用いての熱動弁故障の検出は行われていなかった。
【０００７】
(2) また、この種の温水暖房装置は、たとえば図６に示すように、一台の温水供給源ａに対して複数台（図示例ではＴ１，Ｔ２，Ｔ３，…，Ｔｎ）の温水暖房装置が接続されることがあるが、かかる場合にこの内の一台の温水暖房装置の熱動弁（たとえばｂ２）が故障した場合、温水供給経路の複雑さから当該故障した熱動弁を特定するには時間がかかるという問題もあった。
【０００８】
本発明はかかる従来の問題点に鑑みて提案されたもので、その主たる目的は、熱動弁故障を自己診断可能な温水暖房装置を提供することにある。そして、これに関連して、熱動弁故障を生じた温水暖房装置を容易に特定し得る故障診断支援装置を提供することも目的とする。
【０００９】
【課題を解決するための手段】
上記目的を達成するために、本発明の請求項１に記載の温水暖房装置は、暖房用の熱交換器が弁装置を介して温水熱源機から温水の供給を受けるように構成された温水暖房装置において、上記温水暖房装置は、上記熱交換器の通水温度を検出する温度検出手段と、上記弁装置の開閉制御を行う制御部とを備えてなり、上記制御部が、該温水暖房装置が運転しているかを判別し、該温水暖房装置が運転している場合には、上記温度検出手段で検出される通水温度と、常温より高くかつ上記温水熱源機の出湯温度より低い範囲内で予め定めた所定温度とを比較して、上記通水温度が上記所定温度に達しない場合には上記弁装置が閉故障であると判定して当該故障を示す所定の故障検出データを上記温水熱源機に設けられた所定の記憶領域に記憶させる処理を行う制御構成を有することを特徴とする。
【００１０】
また、本発明の請求項２に記載の温水暖房装置は、暖房用の熱交換器が弁装置を介して温水熱源機から温水の供給を受けるように構成された温水暖房装置において、上記温水暖房装置は、上記熱交換器の通水温度を検出する温度検出手段と、上記弁装置の開閉制御を行う制御部とを備えてなり、上記制御部が、該温水暖房装置が運転しているかを判別し、該温水暖房装置が運転していない場合には、上記温度検出手段で検出される通水温度と、常温より高くかつ上記温水熱源機の出湯温度より低い範囲内で予め定めた所定温度とを比較して、上記通水温度が上記所定温度を超える場合には上記弁装置が開故障であると判定して当該故障を示す所定の故障検出データを上記温水熱源機に設けられた所定の記憶領域に記憶させる処理を行う制御構成を有することを特徴とする。
【００１１】
これら請求項１および２の温水暖房装置は、いずれも温水暖房装置の制御部の内部処理によって弁装置の故障を検出する、つまり、温水暖房装置が弁装置の故障を自己診断できるように構成されている。
【００１２】
具体的には、請求項１および請求項２のいずれの場合も、まず弁装置の故障検出に先立って、温水暖房装置の制御部において、当該温水暖房装置が運転しているか否か（換言すれば、運転開始の操作が行われているか否か）が判別される。これは、温水暖房装置が運転中か否かによって弁装置の設定（開弁／閉弁）が変わってしまうため、故障検出に先立って予めその設定を知る必要があるからである。
【００１３】
そして、この判断の結果、上記温水暖房装置が運転していると判別されると、請求項１に記載したように、上記制御部では、次の判断として、上記温度検出手段で検出される通水温度と予め定めた所定温度との比較が行われる。すなわち、温水暖房装置が運転中であれば、弁装置が閉故障していない限り弁装置は開弁状態とされるので、熱交換器には温水熱源機から温水が供給されることとなる。つまり、この場合、熱交換器内の通水温度は、上記温水熱源機から供給される温水によって常温より高くなるため、この判断において、かかる通水温度の上昇の有無を上記所定温度との比較で検出する。そして、この判断の結果、通水温度の上昇が認められれば弁装置は正常に開弁していることとなるが、温度上昇が認められない場合には弁装置は開弁しておらず、最終的に弁装置の閉故障と判定される。
【００１４】
一方、請求項２に記載したように、上記最初の判断において温水暖房装置が運転していないと判別された場合も、上記制御部では、まず上記温度検出手段で検出される通水温度と予め定めた所定温度との比較が行われる。ただし、この時の比較は、先に述べた請求項１の場合とは反対に、上記検出された通水温度が上記所定温度を上回る場合に弁装置の故障、つまり開故障と判断される。
【００１５】
これは、温水暖房装置が運転していない場合には、弁装置が開故障していない限り閉弁状態とされるので、熱交換器の通水温度は上記のように上昇しないため、この判断で通水温度の上昇が認められると弁装置が開弁している、つまりは、開故障していると評価できるからである。
【００１６】
そして、本発明の請求項３に記載の故障診断支援装置は、該温水熱源機とデータ通信を行う通信手段を備え、この通信手段を介して前記温水熱源機に対して前記故障検出データの送信を要求するとともに受信した故障検出データに基づいて、弁装置故障の発生している温水暖房装置を特定する手段を備えたことを特徴とする。
【００１８】
すなわち、本発明では、温水暖房装置は、請求項１または請求項２に記載した自己診断機能によって弁装置の故障を検出し、検出した弁装置の故障についての情報（故障検出データ）を温水熱源機の所定の記憶領域に記憶させる。一方、故障診断支援装置は、温水熱源機に接続されることにより、温水熱源機の記憶領域に記憶された故障検出データを取り込んで、故障した弁装置を特定する。なおここで、上記故障検出データの内容は、少なくとも故障が発生した温水暖房装置を特定し得る内容のデータが含まれればよく、その他にも故障の内容（開故障か閉故障かの別）を特定するデータを含めることもできる。
【００２０】
【発明の実施の形態】
以下、本発明に係る温水暖房装置を図１乃至図３に基づいて詳細に説明し、その後に本発明に係る故障診断支援装置について図４および図５に基づいて説明する。
【００２１】
本発明に係る温水暖房装置の一実施形態を図１に示す。この温水暖房装置１は、室内の換気および乾燥機能を備えた浴室暖房装置の形態とされ、暖房用の熱交換器２と、該熱交換器２で加熱した空気を室内に吹き出すための暖房ファン３と、上記熱交換器２に供給される温水の通水制御を行う熱動弁４と、これらの動作を制御するコントローラ（制御部）５とを主要部として構成される。
【００２２】
なお、この温水暖房装置１は、上述した換気・乾燥機能を備えることに関連して、換気用吸気口６、換気用フィルタ７、換気ファン８および換気排気口９等を備えるが、これらは本発明と直接関連しないため説明を省略する。
【００２３】
熱交換器２は、温水熱源機１０から供給される温水の熱交換を行う器具であって、温水往き配管１１と温水戻り配管１２とによって温水熱源機１０と接続されている。そして、これにより上記温水熱源機１０から供給される温水が、上記温水往き配管１１、熱動弁４、熱交換器２、温水戻り配管１２を経由して再び温水熱源機１０に循環可能とされている。また、この熱交換器２には、該熱交換器２に流入する湯水の温度（通水温度）を検出する温度センサ（温度検出手段）１４が設けられており、この温度センサ１４が後述するコントローラ５と電気的に接続され、該温度センサ１４で検出した通水温度を上記コントローラ５に出力可能とされている（図２参照）。
【００２４】
暖房ファン３は、上述したように熱交換器２で加熱された空気を室内に吹き出すためのファンであって、後述するコントローラ５によって駆動制御されるファンモータ３１と接続されている。そして、暖房運転の開始に伴って該ファンモータ３１が駆動することにより、図中の矢符（温風吹出）に示すように温風の吹き出しが可能とされている。
【００２５】
熱動弁４は、熱交換器２に流入する温水の通水量を制御するための弁装置であって、後述するコントローラ５から出力される所定の動作指令に基づいて弁の開閉制御が可能とされている。そして、この実施形態の熱動弁４は、上記温水往き配管１１の配管経路中の上記熱交換器２の上流側（上記温水の循環方向上流側）に配設される。
【００２６】
コントローラ５は、温水暖房装置１の各部を制御するための制御装置であって、図２のブロック図に示すように、暖房装置各部に対して動作指令を出力するマイクロコンピュータ５１と、上記温水熱源機１０とデータ通信を行う通信装置５２と、後述する故障検出データを記憶するデータ記憶装置（所定の記憶領域）５３と、コントローラ５に対して直流電源を供給する電源装置５４とを主要部として構成される。
【００２７】
上記マイクロコンピュータ５１は、周知の如く、予め記憶されたプログラム等に基づいて所定の演算処理等を行う中央処理装置（ＣＰＵ）５１１と、上記プログラムやデータを記憶した内部記憶装置（ＲＯＭ，ＲＡＭ）５１２，５１３と、信号の入出力を制御する入出力制御装置（Ｉ／Ｏポート）５１４とを主要部として構成される。そして、このマイクロコンピュータ５１の内部記憶装置（ＲＯＭ）５１２には、上記暖房装置各部の動作を制御するための制御プログラムが記憶される他、本実施形態においては、特に、後述する熱動弁４の自己診断を実行するためのプログラムも記憶される。
【００２８】
上記通信装置５２は、温水熱源機１０の制御部１０ａ（図５参照）と双方向通信を可能とする通信装置であって、双方向通信線１５を介して温水熱源機１０の制御部と電気的に接続されている。
【００２９】
上記データ記憶装置５３は、上記マイクロコンピュータ５１の処理結果を記憶するための装置であって、このデータ記憶装置５３としては不揮発性メモリ（たとえば、ＥＥＰＲＯＭ）が好適に使用される。なお、このデータ記憶装置５３は、後述するように温水熱源機１０の制御部１０ａに設けることも可能であり、その場合は、上記通信装置５２を介して上記マイクロコンピュータ５１の処理結果が温水熱源機１側に記録される。
【００３０】
しかして、このように構成されてなる温水暖房装置１における上記熱動弁４の自己診断処理について、図３にフローチャートを示し詳細に説明する。
【００３１】
(1) すなわち、熱動弁４の自己診断処理においては、まず、コントローラ５において温水暖房装置１が運転しているか否かが判断される（図３ステップＳ１）。この判断は、コントローラ５が温水暖房装置１の各部（具体的には熱動弁４）に対して暖房運転の開始を指示する動作指令（具体的には、熱動弁４の開弁動作指令ならびに温水熱源機１０に対して給湯運転の開始を指示する動作指令）を出力したか否かに基づいて判断される。
【００３２】
(2) そして、この判断の結果、温水暖房装置１が運転していないと判別されると、続く図３ステップＳ２に移行し、上記温度センサ１４で検出される熱交換器２の通水温度が予め定めた所定温度（図示例では６０°Ｃ）以上であるかが判断される。
【００３３】
これは、上記図３ステップＳ１で温水暖房装置１が運転していないと判断された場合は、コントローラ５からは熱動弁４の開弁を指示する動作指令は出力されておらず熱動弁４は閉弁状態にあり、その結果、上記温水熱源機１０から熱交換器２に対して温水は供給されていないということを前提としている。つまり、この場合、熱動弁４が故障していなければ、温度センサ１４で検出される通水温度は常温程度（未加熱の温度）になるはずである。
【００３４】
しかしその一方で、この時、熱動弁４が開故障していれば、温水熱源機１からの温水が熱交換器２に供給されるため、上記温度センサ１４で検出される通水温度は温水熱源機１の出力する温水温度に近い値となる。
【００３５】
図３ステップＳ２は、かかる熱動弁４の状態（開故障の有無）と熱交換器２の通水温度との関係を捉えて熱動弁４の開故障の判定を行うものであり、このステップＳにおいて温度センサ１４で検出された通水温度が上記所定温度を超える場合には、熱動弁４が開故障していると判定される（図３ステップＳ３参照）。なお、この判断が否定的であれば、熱動弁４は正常に閉じていると判断できるので、上記図３ステップＳ１に復帰する。
【００３６】
ここで、上記図３ステップＳ２に関連して、この判断で用いられる上記所定温度は、上述した判断の性質上、常温より高く、かつ温水熱源機１０の出湯温度より低い範囲内で任意に設定される。また、上記熱動弁４はその性質上、閉弁を指示する動作指令が与えられても完全に閉じるまでに時間がかかるので、上記図３ステップＳ２の判断は、熱動弁４の閉弁指示直後は行わないことが必要となる（好ましくは５分程度）。
【００３７】
(3) 一方、上記図３ステップＳ１での判断の結果、温水暖房装置１が運転していると判別されると、図３ステップＳ４に移行して、上記温度センサ１４で検出される熱交換器２の通水温度が予め定めた所定温度（図示例では４０°Ｃ）以上であるかが判別される。
【００３８】
これは、上記図３ステップＳ２の判断とは逆に、温水暖房装置１が運転している場合は本来熱動弁４は開弁状態にあることから、この時に上記温度センサ１４で検出される通水温度は熱動弁４が閉故障していない限り温水熱源機１０の出湯温度付近の値となることを前提とする。
【００３９】
(4) したがって、図３ステップＳ４においては、かかる関係を所定温度との比較で検出し、通水温度が所定温度を超えない場合には熱動弁４は閉故障と判断し（図３ステップＳ５）、一方、所定温度を超える場合には熱動弁４は正常と判断して図３ステップＳ１に復帰させる。
【００４０】
なお、この図３ステップＳ４で用いられる上記所定温度も、開故障の検出時と同様に、常温より高く、かつ温水熱源機１０の出湯温度より低い範囲で適宜設定されるが、この時の所定温度は開故障検出時よりやや低めに設定されるのが好ましい。また、熱動弁４の性質上、この図３ステップＳ４の判断は、熱動弁４を開弁させる動作指令の出力直後（たとえば３分程度）には行わないのは上記開故障の検出時と同様である。
【００４１】
このように、本発明によれば、熱交換器２の通水温度を検出する温度センサ１４の検出値に基づいてコントローラ５の内部処理で熱動弁４の故障判定ができるので、熱動弁４の故障を温水暖房装置１において自己診断することが可能となる。しかも、上述した自己診断処理（特に、閉故障の診断）は、通常の暖房運転を妨げずに行えるので、温水暖房装置１が運転中であっても自己診断を行うことが可能となる。
【００４２】
ところで、このような温水暖房装置１は、上述したように一台の温水熱源機１０に対して複数台接続されることがあるので（図６参照）、以下ではかかる場合における故障が発生した温水暖房装置の特定技術について、図４にその処理手順を、また図５に故障診断支援装置の概略構成を示して詳細に説明する。
【００４３】
すなわち、この場合、まず温水暖房装置１のコントローラ５においては、上述した自己診断の結果を示す故障検出データ（具体的には、熱動弁故障を検出した温水暖房装置を識別するためのデータと、開故障・閉故障のいずれかを示すデータを含んで構成されるデータ）を所定の記憶領域に記憶させる処理が行われる。
【００４４】
具体的には、本実施形態では、上記記憶領域として上記データ記憶装置５３が用いられるため、このデータ記憶装置５３への上記故障検出データの書き込み処理が行われる。ただし、上述したようにこのデータ記憶装置５３は温水熱源機１０に設けられることがあり、その場合は、上記故障検出データを温水熱源機１０に送信する処理が行われる（図４ステップＳ１参照）。
【００４５】
そして、熱動弁４の故障が発生した温水暖房装置１の特定にあたっては、上記故障診断支援装置１００が用いられる。この故障診断支援装置１００は、上記温水暖房装置１または温水熱源機１０に記憶される故障検出データを取り込んで、故障が発生した温水熱源機１を特定するための装置であって、上記温水熱源機１０とデータ通信を行う通信装置（通信手段）１０１と、この通信装置１０１を介して取り込んだ故障検出データに基づいて弁故障の発生している温水暖房装置１を特定する演算処理装置１０２とを主要部として構成される。
【００４６】
具体的には、この故障診断支援装置１００として、本実施形態では携帯可能な汎用コンピュータが用いられる。つまり、本実施形態では、上記通信装置１０１は該汎用コンピュータのもつ通信機能によって実現され、また、上記演算処理装置１０２は該汎用コンピュータのもつ演算処理機能によって実現される。
【００４７】
なお、図５に符号１０３で示すのは上記汎用コンピュータの表示装置であり、また、符号１０４で示すのはキーボード等の入力装置であり、さらに符号１０５で示すのは所定の警報音等を出力する音声出力手段である。また、符号１０ａで示すのは温水熱源機１０の制御部である。
【００４８】
しかして、このように構成されてなる故障診断支援装置１００が上記温水熱源機１０に接続されると、まず、故障診断支援装置１００の演算処理装置１０２から温水熱源機１０の制御部１０ａに対して故障検出データの送信を要求する信号が出力される。
【００４９】
温水熱源機１０の制御部１０ａはこの信号を受信すると、図４ステップＳ２に示すように、故障診断支援装置１００の接続を確認するとともに、この要求に応じて故障検出データを故障診断装置１００に対して送信する（図４ステップＳ３参照）。なお、この際、故障検出データが温水熱源機１０の制御部１０ａに記憶されている場合にはそのデータの送信が行われるが、上述したように温水暖房装置１のコントローラ５（データ記憶装置５３）に記憶されている場合には、温水熱源機１０から当該故障検出データを保持する温水暖房装置１にデータの送信を要求する処理が行われ、これに応じて受信したデータが故障診断支援装置１００に送信される。
【００５０】
このようにして、故障診断支援装置１００に対して故障検出データが送信されると、故障診断支援装置１００の演算処理装置１０２では、このデータに基づいて熱動弁４の故障が発生している温水暖房装置１を特定し、当該故障のある温水暖房装置１を目視確認できるように上記表示装置１０３に表示させる。
【００５１】
このように、上記故障診断支援装置１００を用いることによって、熱動弁４が故障している温水暖房装置１を容易に特定することが可能となり、また、上記故障検出データの内容を充実させることにより、故障の内容等を具体的に把握することが可能となる。
【００５２】
なお、上述した実施形態はあくまでも本発明の好適な実施態様を示すものであって、本発明はこれに限定されることなくその発明の範囲内で種々の設計変更が可能である。
【００５３】
たとえば、上述した実施形態では、本発明の温水暖房装置１を浴室乾燥装置に適用した場合を示したが、本発明の温水暖房装置１は、熱交換器２が熱動弁４を介して温水供給を受けるものであれば、他の形態の温水暖房装置（たとえば、温水エアコンやパネルヒータ、床暖房パネル等）にも適用可能である。
【００５４】
また、上記実施形態では、温水暖房装置１に配される温度センサ１４は、熱交換器２の内部に設けられていたが、この温度センサ１４は熱動弁４を介して供給される温水の温度の検出が可能な位置であれば他の位置に設けることも可能である。また、これに関連して、上記実施形態では、熱動弁４が温水暖房装置１の内部に設けられていたが、この熱動弁４はたとえば図６に示すように温水熱源機１０の内部に設けれても良い。
【００５５】
また、上記実施形態では、コントローラ５の内部処理による自己診断の結果を所定の記憶領域に記憶させる構成を採用したが、この自己診断の結果に基づいてコントローラ５が所定の警報動作を行うように構成されてもよい。
【００５６】
また、上記実施形態では、故障診断支援装置１００が汎用コンピュータで構成された場合を示したが、この診断支援装置１００は少なくとも通信手段１０１と演算処理装置１０２とを有しておればよく、これらの機能を実現する専用の装置によることも可能である。
【００５７】
【発明の効果】
以上詳述したように、本発明に係る温水暖房装置によれば、温度検出手段によって検出される熱交換器への通水温度に基づいて、制御部の内部処理によって弁装置の故障を検出できるので、温水暖房装置において自己診断機能を実現することが可能となる。
【００５８】
しかも、この制御部で行われる内部処理は、温水暖房装置の運転を妨げるものでないので、温水暖房装置が通常運転を行っている際にも行うことができる。
【００５９】
また、本発明に係る故障診断支援装置によれば、一台の温水熱源機に複数台の温水暖房装置が接続されているような場合でも、弁装置の故障が発生した温水暖房装置を容易に特定することが可能となり、温水暖房装置の定期点検やメンテナンスを迅速に行うことが可能となる。
【図面の簡単な説明】
【図１】本発明を適用した温水暖房装置の一実施形態を示す装置概略構成図である。
【図２】同温水暖房装置のコントローラの概略構成を示すブロック図である。
【図３】同温水暖房装置における熱動弁の自己診断手順を示すフローチャートである。
【図４】同温水暖房装置における熱動弁の自己診断後の処理手順を示すフローチャートである。
【図５】本発明に係る故障診断支援装置の概略構成ならびに、同故障診断支援装置と温水熱源機との接続状態を示すブロック図である。
【図６】温水熱源機と温水暖房装置の接続状態を一例を示す概略構成図である。
【符号の説明】
１            浴室暖房装置（温水暖房装置）
２            熱交換器
４            熱動弁（弁装置）
５            コントローラ（制御部）
１０          温水熱源機
１１          温水往き配管
１２          温水戻り配管
１４          温度センサ（温度検出手段）
５１          マイクロコンピュータ
５２          通信装置
５３          データ記憶装置（記憶手段）
１００        故障診断支援装置
１０１        通信装置（通信手段）
１０２        演算処理装置
【図１】
0003732996.tif 000002
【図２】
0003732996.tif 000003
【図３】
0003732996.tif 000004
【図４】
0003732996.tif 000005
【図５】
0003732996.tif 000006
【図６】
0003732996.tif 000007